(57)【要約】【課題】パンの焼き上げ状態に影響を及ぼすことなく製パンする。【解決手段】加熱手段（加熱ヒータ１５）を有する焼成室１４を設けた本体１０と、焼成室１４内に配置されるパンケース３３と、パンケース３３内に装着した攪拌手段（攪拌部材３６）と、本体１０の上端開口を閉塞する蓋体２８と、出来上がり時刻または時間を表示する表示手段（液晶パネル４３）と、制御手段（マイコン４８）とを備えた製パン機において、制御手段は、検出手段（マイクロスイッチ３２）によって蓋体２８の開放を検出すると計測手段（マイコン４８）によって蓋体２８が閉塞するまでの開放時間Ｔを計測し、その開放時間Ｔが予め設定した許容時間Ｔａ内であれば後工程の実行時間Ｔｂを減算することにより出来上がり時刻または時間を変更せず、許容時間Ｔａ外であれば後工程の実行時間Ｔｂを変更することなく出来上がり時刻または時間を遅延させる。【選択図】図３
2008011984.tif 000002
【特許請求の範囲】
【請求項１】
加熱手段を有する焼成室を設けた本体と、前記焼成室内に着脱可能に配置されるパンケースと、該パンケース内に回転可能に装着した攪拌手段と、前記本体の上端開口を開閉可能に閉塞する蓋体と、出来上がり時刻または時間を表示する表示手段と、前記加熱手段および攪拌手段を制御して予熱、混練、発酵および焼成の各工程を実行してパンを焼き上げる制御手段とを備えた製パン機において、
前記蓋体の開閉状態を検出する検出手段と、時間を計測する計測手段とを設け、
前記制御手段は、前記検出手段によって蓋体の開放を検出すると前記計測手段によって蓋体が閉塞するまでの開放時間を計測し、その開放時間が予め設定した許容時間内であれば後工程の実行時間を減算することにより出来上がり時刻または時間を変更せず、許容時間外であれば後工程の実行時間を変更することなく出来上がり時刻または時間を遅延させるようにしたことを特徴とする製パン機。
【請求項２】
前記検出手段によって同一工程にて蓋体の開閉を複数回検出すると、その累積開放時間と許容時間とを比較することを特徴とする請求項１に記載の製パン機。
【請求項３】
前記蓋体の開放を検出すると、前記加熱手段による後工程での加熱温度を高めるようにしたことを特徴とする請求項１または請求項２に記載の製パン機。
【発明の詳細な説明】
【技術分野】
【０００１】
本発明は、製パン機に関するものである。
【背景技術】
【０００２】
本発明の製パン機に関連する先行技術文献情報としては次のものがある。
【０００３】
【特許文献１】特開平９−１８７３８３号公報
【０００４】
この特許文献に記載の製パン機は、本体の内部に加熱ヒータを配設した焼成室と、該焼成室内に着脱可能に配置するパンケースとを備えている。このパンケースの底には、内部に収容させたパン生地材料を攪拌するとともに混練するための攪拌部材が回転可能に取り付けられている。この攪拌部材は、駆動モータに動力伝達機構を介して着脱可能に連結されている。
【０００５】
そして、ユーザは、焼成室内にパンケースを配置した状態で、希望の製パンコースを選択するとともに、パンケース内に焼き上げるパンに必要な材料を収容させてスタートスイッチを操作する。これにより、制御手段は、選択された製パンコースに応じて設定されたプログラムに従って予熱、混練、発酵および焼成の各工程を実行してパンを焼き上げる。
【０００６】
また、製パン機には、液晶パネルなどの表示手段が設けられ、パンの焼き上げが終了する出来上がり時刻を表示および設定可能な構成としている。さらに、製パン機は、パンの内部に所定の具を入れて焼き上げる具入りコースを有するため、本体の上端開口を閉塞する蓋体の開閉状態を検出する検出手段を設け、蓋体の開放を検出すると攪拌部材を停止させる安全機能を搭載している。
【０００７】
そして、具入りコースでは、具を投入する工程までに投入する具を準備できているか否かにより、蓋体の開放時間が相違する。また、パンを良好な状態で焼き上げるには、各工程の実行時間および温度が重要であるが、これらは前記蓋体の開放時間に大きな影響がある。
【０００８】
しかしながら、パンの焼き上げ状態に殆ど影響がない開放時間であるにも拘わらず、蓋体が開放された時間分、出来上がり時刻を遅延させた場合、ユーザが希望の時刻にパンを食べることができないという問題がある。一方、パンの焼き上げ状態に影響が及ぶ開放時間であるにも拘わらず、出来上がり時刻を遅延させない場合には、良好な焼き上げ状態で製パンすることはできない。
【発明の開示】
【発明が解決しようとする課題】
【０００９】
本発明は、従来の問題に鑑みてなされたもので、パンの焼き上げ状態に影響を及ぼすことなく製パンが可能な利便性のよい製パン機を提供することを課題とするものである。
【課題を解決するための手段】
【００１０】
前記課題を解決するため、本発明の製パン機は、加熱手段を有する焼成室を設けた本体と、前記焼成室内に着脱可能に配置されるパンケースと、該パンケース内に回転可能に装着した攪拌手段と、前記本体の上端開口を開閉可能に閉塞する蓋体と、出来上がり時刻または時間を表示する表示手段と、前記加熱手段および攪拌手段を制御して予熱、混練、発酵および焼成の各工程を実行してパンを焼き上げる制御手段とを備えた製パン機において、前記蓋体の開閉状態を検出する検出手段と、時間を計測する計測手段とを設け、前記制御手段は、前記検出手段によって蓋体の開放を検出すると前記計測手段によって蓋体が閉塞するまでの開放時間を計測し、その開放時間が予め設定した許容時間内であれば後工程の実行時間を減算することにより出来上がり時刻または時間を変更せず、許容時間外であれば後工程の実行時間を変更することなく出来上がり時刻または時間を遅延させる構成としている。
【００１１】
この製パン機では、前記検出手段によって同一工程にて蓋体の開閉を複数回検出すると、その累積開放時間と許容時間とを比較することが好ましい。
また、前記蓋体の開放を検出すると、前記加熱手段による後工程での加熱温度を高めることが好ましい。
【発明の効果】
【００１２】
本発明の製パン機では、蓋体が許容時間内で開放された場合には、後工程の実行時間を減算（削減）することにより出来上がり時刻を変更させず、許容時間外で開放された場合には、後工程の実行時間を変更することなく出来上がり時刻を変更するため、パンの焼き上げ状態に影響を及ぼすことなく製パンすることができる。また、蓋体を開放した場合には、焼成室内の温度が低下するが、後工程での加熱温度を高める構成としているため、良好な焼き上げ状態を確実に実現可能である。
【発明を実施するための最良の形態】
【００１３】
以下、本発明の実施の形態を図面に従って説明する。
【００１４】
図１は本発明に係る実施形態の製パン機を示す。この製パン機は、上端開口の本体１０に蓋体２８が着脱かつ開閉可能に装着されるとともに、本体１０の内部にパンケース３３を着脱可能に装着するものである。
【００１５】
前記本体１０は、胴部材１１ａと底部材１１ｂとからなる外装体１１を備えている。この外装体１１の内部には、隔壁１２および遮熱板１３によって、上端開口の焼成室１４と、該焼成室１４の下部の駆動機構収容室１７と、前側の操作基板収容室２７とに区画されている。
【００１６】
前記焼成室１４は、パンケース３３を着脱可能に収容するもので、その内周下部には、前記パンケース３３を加熱する手段である加熱ヒータ１５が配設されている。この焼成室１４の底面中央には貫通孔４０が設けられ、この貫通孔４０の縁に補強部材１６が配設されている。
【００１７】
前記駆動機構収容室１７には、前記焼成室１４の下部を支持する基体１８が配設され、この基体１８にパンケース３３内の攪拌部材３６を駆動するための駆動モータ１９と、この駆動モータ１９と攪拌部材３６とを連結して動力を伝えるための動力伝達機構２０とが配設されている。この動力伝達機構２０は、基体１８において、前記焼成室１４の中心と対応する位置に設けた軸受部材２１と、該軸受部材２１に回転可能に取り付けるとともに攪拌部材３６を着脱可能に連結する大径の第１プーリ２２と、前記駆動モータ１９の出力軸に設けた小径の第２プーリ２３と、これらプーリ２２，２３に巻回したエンドレスベルト２４とからなる。また、基体１８には、前記加熱ヒータ１５や駆動モータ１９などに駆動電力を供給する電源回路などを実装した回路基板２５が配設されている。さらに、駆動機構収容室１７内には、焼成室１４の側面に接触するように、温度検知手段としてサーミスタ２６が配設されている。
【００１８】
前記操作基板収容室２７は、胴部材１１ａの正面側に位置され、その表面には図２に示す操作パネル３９が配設されるとともに、その背部には入力手段であるスイッチ、液晶パネル４４およびマイコン４８などを実装したパネル基板４３が配設されている。なお、操作パネル３９およびパネル基板４３については後で詳細に説明する。
【００１９】
前記蓋体２８は、外装カバー２９と、焼成室１４の上端開口を閉塞する金属製の内側カバー３０とからなり、前記本体１０に背部でヒンジ構造により接続されたものである。前記外装カバー２９と内側カバー３０には、焼成室１４の中央に対応する位置に貫通孔４０が設けられ、その貫通孔４０に耐熱性を有する透明なガラスからなる覗窓３１が装着されている。この蓋体２８のヒンジ接続部には、蓋体２８の開閉状態を検出する手段としてマイクロスイッチ３２が配設されている。
【００２０】
前記パンケース３３は、その外形が略四角形状をなし、その上端開口の対向位置には一対の軸受部３４が設けられ、これら軸受部３４に略凹字形状をなすハンドル部材３５が回動可能に装着されている。このパンケース３３の底面中央には、内部に収容したパン生地材料を攪拌する手段である攪拌部材３６が回転可能に装着されている。また、パンケース３３の底中央の外面には、攪拌部材３６の軸部を回転可能に軸着するとともに、パンケース３３をシンクなどに載置するための台座部材３７が設けられている。さらに、前記攪拌部材３６の軸部には、その下端に前記動力伝達機構２０に着脱可能に連結するための連結部材３８が設けられている。
【００２１】
図２に示すように、操作パネル３９には、パネル基板４３に実装した液晶パネル４４を露出させるための貫通孔４０が設けられている。そして、この貫通孔４０の周囲には、調理メニューとして、ドライイーストを使用する通常の「食パン」コース、外周縁の生地まで柔らかい食パンである「ソフト」コース、「早焼き」コース、「フランスパン」コース、および、「パン・ピザ生地」コースと、天然酵母を使用する「生種つくり」コース、「食パン」コース、および、「パン・ピザ生地」コースとがメニュー表示４１により表されている。なお、ドライイーストを使用する通常の「食パン」コースは、「もちもち」および「ふんわり」の２種の製パン方法を搭載している。また、図２中、「ふつう」と「うすい」は焼き上げるパンの焼き色を意味する。さらに、操作パネル３９には、貫通孔４０の周囲に位置するように、パネル基板４３に実装したスイッチに対応する操作部４２ａ〜４２ｊが設けられている。
【００２２】
前記パネル基板４３は、ドットマトリクス表示方式の液晶パネル４４の周囲に前記操作部４２ａ〜４２ｆに対応するスイッチを実装するとともに、制御手段であるマイコン４８を実装したものである。なお、操作部４２ａと対応するスイッチは、処理の実行およびとりけしをするためのものである。操作部４２ｂと対応するスイッチは、タイマー設定時間を増やすためのものである。操作部４２ｃと対応するスイッチは、タイマー設定時間を減らすためものである。操作部４２ｄと対応するスイッチは、酵母としてドライイーストを使用したメニューを選択するためのものである。操作部４２ｅと対応するスイッチは、天然酵母を使用したメニューを選択するためのものである。操作部４２ｆと対応するスイッチは、焼き上げるパンの焼き色を選択するためのものである。操作部４２ｇと対応するスイッチは、クッキー・パスタ生地の調理を選択するためのものである。操作部４２ｈと対応するスイッチは、ケーキの調理を選択するためのものである。操作部４２ｉと対応するスイッチは、ジャムの調理を選択するためのものである。操作部４２ｊと対応するスイッチは、使用する小麦が国外産および国内産のいずれかを選択するためのものである。
【００２３】
表示手段である液晶パネル４４は、各操作部４２ａ〜４２ｊを操作することによる入力条件に従って複数のコースの選択状態を表示するとともに、現在時刻などを表示するためのものである。具体的には、液晶パネル４４の周囲には、各メニュー表示４１に対応する△印の指示部４５が設けられている。また、液晶パネル４４の中央右側には、現在時刻および入力時に出来上がり時刻を表示するための数値表示部４６が設けられている。さらに、指示部４５と数値表示部４６との間には、製パン機の動作状態などの示す「庫内高温」、「具入り」、「調理中」、「保温中」、「タイマー」、「ねかし」、「コネ」、「発酵」、「焼き」、および、「できあがり」などの文字表示４７が設けられている。
【００２４】
前記パネル基板４３に実装した制御手段であるマイコン４８は、各スイッチの操作部４２ａ〜４２ｊの操作により選択された条件に基づいて、予め設定されたプログラムに従って各負荷部品を制御し、予熱（ねかし）、混練、発酵、焼成の各工程を実行して焼き上げ、続いて保温処理に移行する。
【００２５】
本実施形態では、生地の内部に所定の具を入れて焼き上げる「具入り」コースは勿論、他の製パンコースでも、マイクロスイッチ３２により調理中に蓋体２８の開放を検出すると、攪拌部材３６の回転を停止する安全機能が搭載されている。この際、マイコン４８は、蓋体２８の開放を検出すると、内蔵したタイマーにより蓋体２８が閉塞されるまでの開放時間Ｔを計測する計測手段の役割をなす。そして、その開放時間Ｔが予め設定した許容時間Ｔａ内（５分以内）であれば後工程の実行時間Ｔｂを減算することにより出来上がり時刻を変更せず、許容時間Ｔａ外であれば後工程の実行時間Ｔｂを変更することなく出来上がり時刻を遅延させる構成としている。ここで、蓋体２８の開放時間Ｔとは、同一工程において、継続的に蓋体２８を開放した時間は勿論、開閉を繰り返した場合の累積開放時間を含む。また、本実施形態では、蓋体２８の開放を検出し、かつ、後工程の実行時間Ｔｂを減算しない場合、その実行時間Ｔｂを減算する工程での加熱温度を高める構成としている。
【００２６】
具体的には、図３（Ａ），（Ｂ）に示すように、具入りを含む製パン処理は、予熱、混練、発酵、ガス抜き、ベンチタイム、まるめ、成形発酵、および、焼成の工程を備え、この焼成工程が終了すると、続いて保温処理を実行する。予熱工程は、加熱ヒータ１５を動作させることにより焼成室１４内を昇温させるとともに、パンケース３３と生地との間の空気層、および、収容形状に伴う流動を安定させるものである。混練工程は、加熱ヒータ１５を停止した状態で、攪拌部材３６を回転動作させることにより、パンケース３３内のパン材料を攪拌した後、混練りするものである。発酵工程は、加熱ヒータ１５を動作させて焼成室１４内を所定温度に維持し、混練りしたパン材料を発酵させるものである。ガス抜き工程は、生地の内外の温度を均一にするとともに、余分なガスを抜くものである。ベンチタイム工程は、生地を休ませるためのものである。まるめ工程は、攪拌部材３６の動作により生地を丸くするためのものである。成形発酵工程は、攪拌部材３６の動作により生地の形を整えながら発酵させるものである。焼成工程は、加熱ヒータ１５により焼成室１４内を高温に維持してパンを焼き上げるものである。
【００２７】
前記各工程は、予め設定された実行時間中、加熱ヒータ１５および攪拌部材３６を制御することにより調理を行うものであるが、その実行時間、確実に制御しなければ焼き上げ状態に影響が及ぶ工程は、混練工程、成形発酵工程および焼成工程であり、他の予熱工程、発酵工程、ガス抜き工程、ベンチタイム工程およびまるめ工程は実行時間Ｔｂを減算しても焼き上げ状態に影響は及ばない。また、具入れ時期は混練工程であり、この工程中に蓋体２８が開放される場合が殆どである。因みに、具入りメニューを選択することによる具入り報知は、混練工程の終了５分前に行われる。そのため、本実施形態では、混練工程中に許容時間Ｔａ内の蓋体２８の開放を検出すると、焼き上げ状態に影響を及ぼさず、最も実行時間が長い発酵工程の実行時間Ｔｂを減算する構成としている。
【００２８】
例えば、蓋体２８が開放されない通常の製パン処理では、予熱工程は１８分、攪拌部材３６を停止し、加熱ヒータ１５を動作させて焼成室１４内を２５℃まで昇温させる。ついで、混練工程は２０分、攪拌部材３６を動作させ、加熱ヒータ１５を停止する。ついで、発酵工程は６０分、攪拌部材３６を停止し、加熱ヒータ１５を動作させて焼成室１４内を２５℃に温調する。ついで、ガス抜き工程は１分、攪拌部材３６を停止し、加熱ヒータ１５を停止する。ついで、ベンチタイム工程は２０分、攪拌部材３６を停止し、加熱ヒータ１５により焼成室１４内を２５℃に温調する。ついで、まるめ工程は１分、攪拌部材３６を動作させ、加熱ヒータ１５を停止する。ついで、成形発酵工程は４５分、攪拌部材３６を動作させ、加熱ヒータ１５により焼成室１４内を３５℃に温調する。最後に、焼成工程は４５分、攪拌部材３６を停止し、加熱ヒータ１５により焼成室１４内を１８０℃に温調する。
【００２９】
これに対して、具入れ時期である混練り工程で３分間（許容時間Ｔａ内）、蓋体２８が開放された場合の製パン処理では、予熱工程は１８分、攪拌部材３６を停止し、加熱ヒータ１５を動作させて焼成室１４内を２５℃まで昇温させる。ついで、混練工程は２０分、攪拌部材３６を動作させ、加熱ヒータ１５を停止する。この際、蓋体２８の開放を検出すると、マイコン４８は、この混練工程の実行時間の計測を停止し、その開放時間Ｔを計測する。そして、混練工程中に蓋体２８が３分間開放されると、次の発酵工程は、実行時間Ｔｂを開放時間Ｔ分減算して５７分とし、攪拌部材３６を停止し、加熱ヒータ１５を動作させて焼成室１４内を２７℃に温調する。ついで、ガス抜き工程は１分、攪拌部材３６を停止し、加熱ヒータ１５を停止する。ついで、ベンチタイム工程は２０分、攪拌部材３６を停止し、加熱ヒータ１５により焼成室１４内を２５℃に温調する。ついで、まるめ工程は１分、攪拌部材３６を動作させ、加熱ヒータ１５を停止する。ついで、成形発酵工程は４５分、攪拌部材３６を動作させ、加熱ヒータ１５により焼成室１４内を３５℃に温調する。最後に、焼成工程は４５分、攪拌部材３６を停止し、加熱ヒータ１５により焼成室１４内を１８０℃に温調する。
【００３０】
一方、具入れ時期である混練り工程で１０分間（許容時間Ｔａ外）、蓋体２８が開放された場合の製パン処理では、予熱工程は１８分、攪拌部材３６を停止し、加熱ヒータ１５を動作させて焼成室１４内を２５℃まで昇温させる。ついで、混練工程は２０分、攪拌部材３６を動作させ、加熱ヒータ１５を停止する。そして、混練工程中に蓋体２８が１０分間開放されると、次の発酵工程は、実行時間Ｔｂを開放時間Ｔ分減算することなく６０分とし、攪拌部材３６を停止し、加熱ヒータ１５を動作させて焼成室１４内を２５℃に温調する。ついで、ガス抜き工程は１分、攪拌部材３６を停止し、加熱ヒータ１５を停止する。ついで、ベンチタイム工程は２０分、攪拌部材３６を停止し、加熱ヒータ１５により焼成室１４内を２５℃に温調する。ついで、まるめ工程は１分、攪拌部材３６を動作させ、加熱ヒータ１５を停止する。ついで、成形発酵工程は４５分、攪拌部材３６を動作させ、加熱ヒータ１５により焼成室１４内を３５℃に温調する。最後に、焼成工程は４５分、攪拌部材３６を停止し、加熱ヒータ１５により焼成室１４内を１８０℃に温調する。その結果、蓋体２８が許容時間Ｔａを超えて開放された場合には、その時間Ｔ分、出来上がり時刻が遅延される。
【００３１】
このように、本発明の製パン機では、蓋体２８が許容時間Ｔａ内で開放された場合には、後工程においてパンの焼き上げに影響を及ぼさない工程の実行時間Ｔｂを減算（削減）することにより出来上がり時刻を変更させず、許容時間Ｔａ外で開放された場合には、後工程の実行時間Ｔｂを変更することなく出来上がり時刻を変更するため、パンの焼き上げ状態に影響を及ぼすことなく製パンすることができる。また、蓋体２８を開放した場合には、焼成室１４内の温度が低下するが、後工程での加熱温度を高める構成としているため、発酵不足などの問題の発生を防止し、良好な焼き上げ状態を確実に実現可能である。
【００３２】
なお、前述した製パン制御の一例は、操作部４２ｊの操作により使用する小麦として国外産を選択した場合である。この場合、前記混練工程は、粉状の生地を攪拌してコネるステップ（１０分）を実行した後、休止するねかしステップ（２０分）を実行する。その後、塊状になった生地をコネるステップ（１０分）を実行するものである。
【００３３】
これに対して、本実施形態では、操作部４２ｊの操作により使用する小麦として国産を選択した場合、前記混練工程は、粉状の生地を攪拌してコネるステップ（１５分）を実行した後、ねかしステップおよびコネステップは実行しない。即ち、国産小麦は、国外産小麦と比較して、タンパク質が少ないうえ含有量が不安定であり、脹らみ難いものであるが、混練工程中のねかしステップおよびコネステップを削減することにより、グルテンの破壊を防ぎ、良好なパンを焼き上げることができるようにしている。因みに、発酵工程の実行時間を更に短縮してもよい。
【００３４】
なお、本発明の製パン機は、前記実施形態の構成に限定されるものではなく、種々の変更が可能である。
【００３５】
例えば、液晶パネル４４の数値表示部４６により出来上がり時刻を表示する構成としたが、出来上がりまでに必要な時間を表示する構成としてもよい。
【００３６】
また、前記実施形態では、混練工程で許容時間内の蓋体２８の開放を検出した場合に、発酵工程の実行時間を減算する構成としたが、焼き上げに影響が及ばない他のベンチタイム工程の実行時間を減算してもよい。但し、成形発酵および焼成のように、後に焼き上げに影響が及ばない工程が存在しない工程で蓋体２８の開放を検出した場合には、開放時間が許容時間内であっても出来上がり時刻または時間を遅延させることが好ましい。
【図面の簡単な説明】
【００３７】
【図１】本発明の実施形態に係る製パン機を示す断面図である。
【図２】操作パネルを含む製パン機の構成を示すブロック図である。
【図３】製パン時の各工程の制御を示し、（Ａ）は図表、（Ｂ）はタイムチャートである。
【図４】（Ａ）は国外産小麦を使用した場合、（Ｂ）は国内産小麦を使用した場合の制御を示すタイムチャートである。
【符号の説明】
【００３８】
１０…本体
１４…焼成室
１５…加熱ヒータ（加熱手段）
２６…サーミスタ（温度検出手段）
３２…マイクロスイッチ（蓋体開閉検出手段）
３３…パンケース
３６…攪拌部材（攪拌手段）
４４…液晶パネル（表示手段）
４６…数値表示部
４８…マイコン（制御手段）
【図１】
2008011984.tif 000003
【図２】
2008011984.tif 000004
【図３】
2008011984.tif 000005
【図４】
2008011984.tif 000006